(57)【要約】複数の弾丸アセンブリ(10)が銃身(20)内に突合せ接触関係で軸方向に配置されていて、各弾丸アセンブリ(10)には個別の発射装薬(15)が付設されているような武器の銃身アセンブリ用の弾丸封止装置を提供する。  弾丸封止装置は、個別の発射装薬(15)を保持するために弾丸アセンブリ(10)に設けられた空洞(14)と連通する後側開口部(13)と、上記後側開口部(13)の相補的な部分(17)と作動的封止係合するように構成された突合せ接触する弾丸アセンブリの前側部分(16)とを含んでいる。弾丸封止装置は、複数の突合せ接触する弾丸アセンブリ(10)に圧縮荷重(L)を加えている間、個別の発射装薬(15)が空洞(14)内に封止されるように、相補的な形状の面部分を含んでいるのが適切である。本発明では、また、相補的なスピゴット及びソケット部材によって尾部に頭部を接続して構成した個別の弾丸の連鎖体も開示している。
2005528574.tif 000002
【特許請求の範囲】
【請求項１】
複数の弾丸アセンブリが銃身内に突合せ接触関係で軸方向に配置されていて、各弾丸アセンブリには個別の発射装薬が付設されているような武器の銃身アセンブリ用の弾丸封止装置であって、当該弾丸封止装置は、
個別の発射装薬を収容するために各弾丸アセンブリに設けられた空洞と連通する後側開口部と、上記後側開口部と作動的封止係合するように構成された突合せ接触する弾丸アセンブリの前側部分とを含んでおり、
また当該弾丸封止装置は、複数の突合せ接触する弾丸アセンブリに圧縮荷重を加えている間、個別の発射装薬が空洞内に封止されるようになっていること、を特徴とする弾丸封止装置。
【請求項２】
請求項１に記載の弾丸封止装置において、各弾丸アセンブリの前側部分は所定の形状の前側封止面を有し、後側開口部は前側封止面の上記所定の形状に対して相補的な形状の後側封止面を有している、弾丸封止装置。
【請求項３】
請求項１に記載の弾丸封止装置において、前側部分及び後側開口部のいずれか又は両方は封止を補助し又は向上させる封止手段を含んでいる、弾丸封止装置。
【請求項４】
請求項３に記載の弾丸封止装置において、封止手段は弾性体として予め形成されている、弾丸封止装置。
【請求項５】
請求項３に記載の弾丸封止装置において、封止手段は適当な封止材料を使用することによりその場で形成されている、弾丸封止装置。
【請求項６】
請求項４又は５に記載の弾丸封止装置において、前記封止手段は接着特性を有している、弾丸封止装置。
【請求項７】
請求項１に記載の弾丸封止装置において、封止面は平坦な面部分を含んでいる、弾丸封止装置。
【請求項８】
請求項１に記載の弾丸封止装置において、封止面は半球形状の面部分を含んでいる、弾丸封止装置。
【請求項９】
請求項１に記載の弾丸封止装置において、封止面は円錐形状の面部分を含んでいる、弾丸封止装置。
【請求項１０】
請求項７乃至９のいずれか一項に記載の弾丸封止装置において、上記封止面の形状は空気力学的考察によって決定されている、弾丸封止装置。
【請求項１１】
武器用の銃身アセンブリであって、当該銃身アセンブリは、
銃身内に突合せ接触関係で軸方向に配置されていて、各々は頭部及び尾部を有し、個別の発射装薬が付設されている複数の弾丸アセンブリと、
銃身から逐次的にそれぞれの弾丸を発射するために個別の発射装薬を選択的に点火することのできる、各発射装薬用の点火手段と、
突合せ接触する弾丸アセンブリ相互の間の封止装置とを含んでおり、上記封止装置は、
個別の発射装薬を受けるために各弾丸アセンブリに設けられた空洞と連通する後側開口部と、
後側開口部と作動的封止係合するように構成された突合せ接触する弾丸アセンブリの前側部分とを含んでおり、
また、上記封止装置は、複数の突合せ接触する弾丸アセンブリに圧縮荷重を加えている間、後方の弾丸用の個別の発射装薬がそれぞれの空洞内に封止されるようになっていること、を特徴とする武器用の銃身アセンブリ。
【請求項１２】
請求項１１に記載の銃身アセンブリにおいて、弾丸本体は、弾丸アセンブリの頭部及び尾部の少なくとも一方に横断方向の面を含んでおり、この横断方向の面は、上記複数の弾丸アセンブリに軸方向の圧縮荷重を加えたときに弾丸がその後方の弾丸に対して過大な動きを生じるのを防止するように構成されている、銃身アセンブリ。
【請求項１３】
請求項１１に記載の銃身アセンブリにおいて、発射装薬は固化した形態である、銃身アセンブリ。
【請求項１４】
請求項１１に記載の銃身アセンブリにおいて、発射装薬は流動性の形態である、銃身アセンブリ。
【請求項１５】
請求項１３又は１４に記載の銃身アセンブリにおいて、後側開口部は、発射薬材料を空洞内に保持するための閉鎖体を含んでいる、銃身アセンブリ。
【請求項１６】
請求項１５に記載の銃身アセンブリにおいて、閉鎖体は破裂可能な円板、又は可燃性材料より成る円板で構成されている、銃身アセンブリ。
【請求項１７】
請求項１６に記載の銃身アセンブリにおいて、閉鎖体は、隣接する弾丸アセンブリの頭部にある相補的な保持手段と解放可能に係合する保持手段を含んでいる、銃身アセンブリ。
【請求項１８】
請求項１７に記載の銃身アセンブリにおいて、上記相補的な保持手段は、ソケット部材及びスピゴット部材を含んでいる、銃身アセンブリ。
【請求項２２】
請求項１７に記載の銃身アセンブリにおいて、上記相補的な保持手段は、解放し易くするために協同するネジ山を含んでいる、銃身アセンブリ。
【請求項２０】
請求項１７に記載の銃身アセンブリにおいて、保持手段は易損性である、銃身アセンブリ。
【請求項２１】
頭部及び尾部を持つ本体を有する弾丸アセンブリであって、
上記頭部は、前方の弾丸の後側開口部と作動的封止係合するように構成された前側部分を含んでおり、
上記尾部は、個別の発射装薬を受けるために弾丸アセンブリに設けられた空洞と連通する後側開口部を含んでおり、この後側開口部は後方の弾丸の前側部分と作動的封止係合するように構成された後側部分を含んでおり、
更に、当該弾丸アセンブリは、複数の突合せ接触する弾丸アセンブリに圧縮荷重を加えている間、個別の発射装薬を空洞内に封止するようになっている封止装置を含んでいること、を特徴とする弾丸アセンブリ。
【請求項２２】
連鎖体連鎖体を形成するために易損性の結合部によって一緒に結合された少なくとも２つの弾丸を含んでいる弾丸封止装置であって、各弾丸は頭部と尾部とを有しており、結合部は、相補的なスピゴット手段及びソケット手段を含んでおり、結合部が、前方の弾丸の尾部と後方の弾丸の頭部との間に配置されていること、を特徴とする弾丸連鎖体。
【請求項２３】
請求項２２に記載の弾丸連鎖体において、結合部のスピゴット手段及びソケット手段は、開放可能な係合手段を備えている、弾丸連鎖体。
【請求項２４】
請求項２２に記載の弾丸連鎖体において、結合部は易損性の保持手段を有している、弾丸連鎖体。
【発明の詳細な説明】
【技術分野】
【０００１】
本発明は、複数の弾丸アセンブリが銃身又は砲身（以下、単に「銃身」という。）内に突合せ接触関係で軸方向に配置されていて、これらの弾丸アセンブリには、銃身から逐次的にそれぞれの弾丸を選択的に発射するための個別の発射装薬が付設されている場合における、銃身アセンブリ用の弾丸封止装置に関するものである。
【０００２】
本発明は、それに限定されるものではないが、特に、個別の発射装薬を点火するために点火手段の電気的又は電子的作動を採用している武器の銃身アセンブリに関するものである。
【背景技術】
【０００３】
ＰＣＴ／ＡＵ９４／００１２４を含めて本願出願人に譲渡された先行の国際特許出願に記載されている銃身アセンブリ用の弾丸封止装置は、各弾丸アセンブリとこれらの弾丸アセンブリを収容している銃腔又は砲腔（以下、単に「銃腔」という。）との間の作動的(operative)封止係合を利用している。
【０００４】
弾丸アセンブリと銃腔との間の作動的封止係合の重要な機能は、前方の弾丸の発射により生じる燃焼生成物の火炎漏洩を防止するか又は少なくとも最少にすることであり、さもないと、このような漏洩は銃身内の後方の弾丸アセンブリに付設されている発射装薬の付随的な点火を誘発する恐れがある。これらの弾丸アセンブリは、弾筒及びくさび迫めスリーブに組み込まれた様々な銃身シール構造、リング又は膨張可能な部分を含んでおり、これらの全ては銃腔に対して封止するように配置されている。
【０００５】
しかしながら、銃身との作動的封止係合を利用する銃身アセンブリを製造することは比較的複雑でコストがかかるので、特に大量低コストの製造が期待されている場合に、出願人の銃身アセンブリの用途が狭められる。
【発明の開示】
【発明が解決しようとする課題】
【０００６】
本発明は、特定の実施形態では、複数の弾丸が銃身内に軸方向に配置される場合において、弾丸と銃腔との間の作動的封止係合を必要とせずに、前方の弾丸を発射させる作用が後側すなわち後方の弾丸の発射薬を点火することがないようにする銃身アセンブリ用の弾丸封止装置を提供することを目的とする。
【０００７】
本発明はまた、特定の実施形態では、複雑でなく、従来の発射法を使用でき、製造コストの低減を容易にし、又は少なくとも有用な選択を行える銃身アセンブリ用の弾丸封止装置を提供することを目的とする。
【課題を解決するための手段】
【０００８】
前述の観点から、本発明は、一面では、広義には、複数の弾丸アセンブリが銃身内に突合せ接触関係で軸方向に配置されていて、各弾丸アセンブリには個別の発射装薬が付設されているような武器の銃身アセンブリ用の弾丸封止装置にあり、この弾丸封止装置は、
個別の発射装薬を収容するために各弾丸アセンブリに設けられた空洞と連通する後側開口部と、
上記後側開口部と作動的封止係合するように構成された突合せ接触する弾丸アセンブリの前側部分とを含んでおり、
当該弾丸封止装置は、複数の突合せ接触する弾丸アセンブリに圧縮荷重を加えている間、個別の発射装薬を空洞内に封止するようになっている。
【０００９】
本発明は、別の一面では、武器用の銃身アセンブリにあり、この銃身アセンブリは、
銃身内に突合せ接触関係で軸方向に配置されている複数の弾丸アセンブリであって、各弾丸アセンブリには個別の発射装薬が付設されている複数の弾丸アセンブリと、
銃身から逐次的にそれぞれの弾丸を発射するために個別の発射装薬を選択的に点火することのできる、各発射装薬用の点火手段と、
突合せ接触する弾丸アセンブリ相互の間の封止装置とを含んでおり、上記封止装置は、
個別の発射装薬を受けるために各弾丸アセンブリに設けられた空洞と連通する後側開口部と、
上記後側開口部と作動的封止係合するように構成された突合せ接触する弾丸アセンブリの前側部分とを含んでおり、
上記封止装置は、複数の突合せ接触する弾丸アセンブリに圧縮荷重を加えている間、後方の弾丸用の個別の発射装薬がそれぞれの空洞内に封止されるようになっている。
【００１０】
本発明は、更に別の一面では、頭部及び尾部を持つ本体を有する弾丸アセンブリにあり、この弾丸アセンブリでは、
上記頭部が、前方の弾丸の後側開口部と作動的封止係合するように構成された前側部分を含んでおり、
また上記尾部が、個別の発射装薬を受けるために弾丸アセンブリに設けられた空洞と連通する後側開口部を含んでおり、
また該後側開口部が後方の弾丸の前側部分と作動的封止係合するように構成された後側部分を含んでおり、
更に、封止装置が、複数の突合せ接触する弾丸アセンブリに圧縮荷重を加えている間、個別の発射装薬を空洞内に封止するようになっていることを特徴とする。
【００１１】
好ましくは、前側部分すなわち頭部は所定の形状の前側封止面を有すると共に、後側開口部は前側封止面の上記所定の形状に対して相補的な形状を持つ後側封止面を有し、これらの封止面は協同する。
【００１２】
代替態様では、前側部分及び後側開口部のいずれか一方又は両方は、封止を補助するか又は向上させるために、ガスケットのような封止手段を含んでいる。封止手段は、ガスケットのような弾性体として予め形成したもの、又は適当な流動性封止材料を使用することによりその場で形成されるものであってよい。封止材料は接着特性を持つものが最も好ましい。
【００１３】
弾丸本体の封止面は、空気力学的な考慮をして決定されたか否かに拘わらず、半球状、円錐状又は楔状の横断面形状の表面部分を含めて、任意の適当な形状であってよい。前側封止面を凸面形状にすると共に、協同する後側封止面を相補的な凹面形状にするのが適切である。
【００１４】
弾丸本体は、弾丸アセンブリの頭部及び尾部の一方に横断方向の面を含むことができ、この横断方向の面は、圧縮荷重を加えたときに弾丸がその後方の弾丸に対して過大な動き(over-travel) を生じるのを防止するように構成される。横断方向の面は、必要に応じて、平面又は曲面とすることができる。
【００１５】
発射装薬は、固化した形態又は粉末や顆粒のような流動性の形態で供給することができる。
【００１６】
後側開口部には、発射薬材料を空洞内に保持するために閉鎖体を設けることができる。閉鎖体は、機械的に破裂可能な円板、又は可燃性材料より成る円板で構成することができる。
【００１７】
閉鎖体は、頭部にある相補的な保持手段と解放可能に係合する保持手段を含むことができる。適当な保持手段は、望ましくは解放するのに便利である協同するネジ山を含んでいるソケット及びスピゴット部材である。代替例として、保持手段は易損性であってよい。いずれの場合も、このような保持手段を選択的に係合させることによって弾丸アセンブリの連鎖体(chain)を形成することができる。
【００１８】
本発明は、また更に別の一面では、解放可能に結合された少なくとも２つの弾丸アセンブリを含む弾丸アセンブリ連鎖体にある。各弾丸アセンブリは頭部及び尾部を有し、解放可能な結合部が相補的なスピゴット部材及びソケット部材で構成され、この結合部は前方の弾丸の尾部と後方の弾丸の頭部との間に配置される。
【００１９】
必要とされる場合には、結合部のスピゴット部材及びソケット部材に、協同するネジ山又は易損性の接合手段のような解放可能な係合手段を設ける。
【発明を実施するための最良の形態】
【００２０】
本発明をより容易に理解し且つ実用化することができるようにするために、本発明の典型的な実施形態を例示する添付の図面を参照して説明する。
【００２１】
図１及び図２に例示されている第１の実施形態の弾丸アセンブリ１０の各々は、頭部すなわち前側部分１２と尾部１９の開口部すなわち後側開口部１３とを持つ本体１１を含んでいる。開口部は、弾丸本体内に設けられた空洞１４と連通している。空洞１４は個別の発射装薬１５と該発射装薬を点火するための点火手段（図示せず）とを収容する。電子制御手段によって適当に発射薬を点火した時、推進ガスを含む燃焼生成物が弾丸空洞１４から弾丸の尾部１９の開口部１３を通ってかなりの力で放出されることが理解されよう。
【００２２】
第１の実施形態では、弾丸頭部１２の前側封止面１６が凸面であって、単純な半球の形状を持ち、また開口部１３は周縁の封止面１７を持ち、この封止面１７は少なくとも部分的に頭部１２の半球形状の前側封止面１６に対して相補的な凹面形状を持つように設けられ又は形成されている。これらの封止面の精密な形状は余り重要ではない。ただ、必要な条件は、突合せ接触する弾丸アセンブリに圧縮荷重を加えたときに実質的にガス密なシールを構成するという所望の目的を満足させるためにそれらの形状が相補的であることである。このようなシールは、図２に関連して説明すると、後方の弾丸に関連した発射薬の意図しない点火を防止することを目的としている。また、弾丸に利用される形状は、弾丸アセンブリを利用する武器の発射の際に生じる銃身内圧力に耐える充分な強度を与えることも望ましい。
【００２３】
この実施形態では単純な半球形状を用いているが、これに対する種々の変形も可能である。例えば、一つの簡単な変形は、弾丸頭部と弾丸のその受け側の尾部とが封止係合を改善するために協同する円錐形又は楔形断面形状を持つようにすることである。実施形態によっては、弾丸本体１１の頭部すなわち前側部分１２の表面形状は空気力学的考察に従って決定する。
【００２４】
図２は、銃身２０内にほぼ突合せ接触関係に軸方向に配置され複数の弾丸アセンブリ１０のうちの２つを示している。正常な動作では、前方すなわち左側の弾丸１０ａの頭部１２の前側表面１６は、銃身内に弾丸を装填する圧縮作用により、後方すなわち右側の弾丸１０ｂの開口部１３の後側周縁面１７と接触するであろう。周縁面１７は、弾丸の尾部の後端環状面１８から且つ弾丸本体１１の外面から弾丸の縦軸２２へ向かって、各弾丸１０の内側に延在している。
【００２５】
複数の突合せ接触する弾丸１０に圧縮荷重Ｌを加えたとき、前方の弾丸１０ａの後側周縁面１７が後方の弾丸１０ｂの前側表面に対して封止するように動作して、弾丸本体１１の空洞１４内に発射装薬１５を封止する。典型的には、最も前方の弾丸（図示せず）を銃身２０から発射する際にこの最も前方の弾丸を点火したことによって更なる圧縮荷重が生じる。
【００２６】
少なくとも封止についての必要な条件に関する限り、本発明による弾丸アセンブリと銃身２０の壁すなわち銃腔２１との間の相互作用は、既知の武器の従来の弾丸及び銃腔についての相互作用と同じである。信頼性のある動作のために不可欠である弾丸本体１１の円筒状外面と銃腔２１との間の封止のレベルは、従来の旋条(rifling)によって与えられるように、発射の際に推進ガスが弾丸本体１１の頭部１２を通り越して逃げ出るのを抑制するだけのレベルである。
【００２７】
図３には、本発明の第２の実施形態の弾丸３０を示している。弾丸３０は、減径した頭部すなわち前側部分３２と尾部の開口部すなわち後側開口部３３とを持つ本体３１を含んでいる。開口部は、弾丸本体内に設けられた空洞（図示せず）と連通している。弾丸本体３１は、全体的に弾丸本体に対して減径した環状後端面３８で終端する台円錐形の尾部３４を備えている。内部の空洞は個別の発射装薬３５と該発射装薬を点火するための点火手段（図示せず）とを収容する。発射装薬を点火するための装置は、本願出願人に譲渡された先行の国際特許出願ＰＣＴ／ＡＵ９４／００１２４に記載されているものと同様なものが適切である。
【００２８】
弾丸頭部に前側封止面３６が設けられていると共に、後側開口部３３の周縁に相補的な後側封止面３７が設けられており、後側封止面３７は弾丸頭部３２の封止面３６と作動的封止係合するように構成されている。
【００２９】
図４は、ほぼ軸方向に整列した第２の実施形態の２つの弾丸３０を示している。但し、図面では、これらの弾丸は明瞭に示すために離間させてある。必要な場合、弾丸本体３１の前面は縦軸３９に対して横断方向の環状部分（図示せず）を含むことができ、この環状部分は、前方の弾丸の横断方向の環状後端面３８に突合せ接触するように構成される。この構成は、後方の弾丸の頭部３２が前方の弾丸の後側開口部３３の中へ移動するのを制限し、従って、銃身内の弾丸アセンブリの連鎖体又は積重ねに圧縮力を繰り返し加えることによって惹起される過大な動き及び／又は変形によりそれぞれの封止面３６，３７が一緒にロックされる可能性を最小にするために、設けることができる。
【００３０】
次に図５について説明すると、図示の弾丸アセンブリ４０は図１及び図２に関して前に述べたものと全体的に同様な構成形状を有している。各弾丸アセンブリ４０は、弾丸尾部４９に隣接した開口部４３の後側封止面４２上に保持されたガスケット４１の形態の封止手段を含んでいる。この第１のガスケット４１はステンレス鋼又は適当に規定された合成材料で構成することができるが、この第１のガスケット４１は後側封止面４２と弾丸頭部の前側封止面４４との間の封止を向上させる。必要なら、弾丸頭部に（第１のガスケット４１から適当に離間させて）第２のガスケットを設けることによって、二重シールを実現することができる。しかしながら、弾丸頭部に配置された封止手段は弾丸アセンブリ４０の空気力学的性能を低下させる恐れがある。
【００３１】
第３の実施形態の他の変形例では、封止手段は、そのままで突合せ接触する弾丸アセンブリ相互の間にシールを形成する接着性封止材料で構成することができ、それはまた、銃身内に装填するのを容易にするために複数の弾丸を連鎖体として保持するように機能することもできる。発射装薬４５は弾丸アセンブリ４０の本体により保持され、また発射装薬４５は固体ブロックとして、或いは本実施形態におけるように、粉末又は顆粒のような流動性材料として形成することができる。
【００３２】
この実施形態は更に、流動性の発射装薬４５を保持するために、破裂可能な円板４６の形態で後側開口部４３用の閉鎖体を含んでいる。閉鎖体は破裂可能な円板よりはむしろ可燃性材料で形成することもできる。閉鎖体は、隣接する弾丸頭部にある相補的な保持手段と解放可能に係合する保持手段を含んでいる。本実施形態における保持手段は、頭部に設けたスピゴット部材４７と、破裂可能な円板４６に設けられたソケット部材４８とによって形成されている。両部材の各々は、希望するときに後で解放することが可能である協同するネジ山を含んでいる。固体ブロックの発射薬を使用する他の実施形態では、保持手段は発射薬ブロック内に直接に形成されたソケットを含むことができる。
【００３３】
保持手段のスピゴット及びソケット部材４７，４８は易損性の結合部を構成する。結合部は、協同するネジ山よりはむしろ、最も望ましくは発射の際に存在する燃焼の助けにより解放させることができる。従って、複数の弾丸アセンブリは一緒に結合して、取扱い及びその後の銃身内への装填を容易にするための弾丸アセンブリの連鎖体を形成することができる。
【００３４】
図６及び図７は、本発明の第４の実施形態の弾丸５０を断面で例示している。図６に示す弾丸５０は、内部空洞を画成する外壁５１と、内部空洞を貨物又はペイロード（爆薬）用空洞５３及び発射薬用空洞５４に分割する横断方向の内壁５２とを含んでいる。弾丸本体は、参照し易くするために、頭部５５と尾部５６とに分割されるものとして表すことができる。
【００３５】
頭部５５の前側外面は、平坦化した又は截頭した前側端５６と、凸面形の封止面５７とを含んでいる。頭部５５の内面は、貨物又はペイロード用空洞５３のための内向きに延在する補強リブ５８を含んでいる。リブ５８は、一形態では、必要なとき、ペイロード用空洞５３にアクセスし易くするためにネジ係合装置を含んでいてもよいことが理解されよう。
【００３６】
発射薬用空洞５４は弾丸の尾部５６の後側開口部５９を介して弾丸の外部と連通することができ、開口部は内向きに延在する環状壁６０によって画成される。開口部５９は、内部の流動性発射薬の点火時に破裂するようにされた閉鎖体、図示例では破裂可能な円板６１で覆われている。環状壁６０の後側封止面６２は、凸面形の封止面５７に対して大体相補的である凹面形状を持つ。
【００３７】
次に図７について説明すると、図７は、銃身（図示せず）内に配置されたときに軸方向突合せ接触関係に配列された第４の実施形態の３つの弾丸５０ａ，５０ｂ，５０ｃの積重ねを示している。従って、第１の弾丸５０ａの発射薬用空洞５４ａは、第１の弾丸５０ａの後側封止面６２ａと次の隣接する（第２の）弾丸５０ｂの前側封止面５７ｂとの協同作用によって形成される界面６５ａ−ｂで封止される。次いで、第２の弾丸５０ｂの発射薬用空洞５４ｂは、その後側封止面６２ｂと次の隣接する（第３の）弾丸５０ｃの前側封止面５７ｃとの協同作用によって形成される界面６５ｂ−ｃで封止される。
【００３８】
図８及び図９は、本発明の第５の実施形態の弾丸７０を断面で例示している。図８に示す弾丸７０は、内部空洞を画成する外壁７１と、内部空洞を貨物又はペイロード用空洞７３及び発射薬用空洞７４に分割する横断方向の内壁７２とを含んでいる。弾丸本体はまた、参照しやすくするために、頭部７５と尾部７６とに分割されるものとして表すことができる。
【００３９】
頭部７５の前側外面は、円筒形側壁から部分球形の前壁への移行部に位置する横断方向の環状面７６を含んでおり、上記の前壁は凸面形の封止面７７を持つ。弾丸７０の頭部７５の内面は、貨物又はペイロード用空洞７３のための内向きに延在する補強リブ７８を含んでいる。
【００４０】
発射薬用空洞７４は弾丸の尾部７６の後側開口部７９を介して弾丸の外部と連通することができ、開口部は内向きに延在する環状壁８０によって画成される。発射薬用空洞７４内には発射薬の固化したブロック８１（細い線で示す）を収容することができる。環状壁８０の後側封止面８２は、凸面球形の封止面７７に対して大体相補的である凹面形状を持つ。
【００４１】
次に図９について説明すると、図９は、銃身（図示せず）内に積み重ねたとき軸方向突合せ接触関係に配列された第５の実施形態の３つの弾丸７０ａ，７０ｂ，７０ｃの積重ねを示している。従って、第１の弾丸７０ａの発射薬用空洞７４ａは、第１の弾丸７０ａの後側封止面８２ａと次の隣接する（第２の）弾丸７０ｂの前側封止面７７ｂとの協同作用によって形成される界面８５ａ−ｂで封止される。また、それぞれの第１の弾丸の後側角部８３ａと第２の弾丸の横方向の環状面７６ｂとの間の突合せ接触が、弾丸の積重ねの軸方向圧縮の際に弾丸７０ａ，７０ｂの過大な動き及び起こり得る変形を防止する。
【００４２】
次いで、第２の弾丸７０ｂの発射薬用空洞７４ｂは、その後側封止面８２ｂと次の隣接する（第３の）弾丸７０ｃの前側封止面７７ｃとの協同作用によって形成される界面８５ｂ−ｃで封止される。同様に、第２の弾丸７０ｂの後側角部８３ｂと第３の弾丸７０ｃの前外側の面７６ｃとの間の突合せ接触によって、過大な動きが防止される。
【００４３】
本発明は軍隊及び警察の両者で使用するための武器に用途を有しているが、本発明はまた他の民間使用のためにも適用できる。本発明は、銃又は砲（以下、単に「銃」という。）及び弾丸の応力要件を大幅に低減し、また製造過程を簡単にするという理由で、武器システムに特別な用途を有する。特に、本発明の封止装置を含む弾丸は、従来の旋条配置を含む標準的な構成技術を用いる銃身に、またより特殊化された銃身及び武器に利用することができる。
【００４４】
上記の実施形態は本発明を例示するためにのみ提示したものであり、また当業者にとって明らかなような、更なる変更及び改良は本明細書で説明し且つ特許請求の範囲の記載において規定した本発明の広義の範囲内に入るものであることを理解されたい。
【図面の簡単な説明】
【００４５】
【図１】図１は、本発明の第１の実施形態の弾丸アセンブリの等角図である。
【図２】図２は、銃身内で殆ど突合せ接触関係にした本発明の第１の実施形態の２つの弾丸アセンブリの部分破断等角図である。
【図３】図３は、本発明の第２の実施形態の弾丸アセンブリの等角図である。
【図４】図４は、第２の実施形態の２つの弾丸アセンブリの部分破断等角図である。
【図５】図５は、本発明の第３の実施形態の封止装置を含む弾丸アセンブリの等角図である。
【図６】図６は、第４の実施形態の弾丸アセンブリの側断面図である。
【図７】図７は、本発明の第４の実施形態の複数の突合せ接触した弾丸より成る弾丸アセンブリの別の側断面図である。
【図８】図８は、本発明の第５の実施形態の弾丸アセンブリの側断面図である。
【図９】図９は、第５の実施形態の複数の突合せ接触した弾丸より成る弾丸アセンブリの別の側断面図である。
【符号の説明】
【００４６】
１０：弾丸アセンブリ、  １１：本体、  １２：頭部、  １３：後側開口部、  １４：空洞、  １５：個別の発射装薬、  １６：前側封止面、  １７：封止面、  １８：後端環状面、  １９：尾部、  ２０：銃身、  ２１：銃腔、  ２２：弾丸の縦軸、  ３０：弾丸、  ３１：本体、  ３２：前側部分、  ３３：後側開口部、  ３４：尾部、  ３５：発射装薬、  ３６：前側封止面、  ３７：後側封止面、  ３８：環状後端面、  ３９：縦軸、  ４０：弾丸アセンブリ、  ４１：ガスケット、  ４２：後側封止面、  ４３：開口部、  ４４：前側封止面、  ４５：発射装薬、  ４６：破裂可能な円板、  ４７：スピゴット部材、  ４８：ソケット部材、  ４９：尾部、  ５０：弾丸、  ５１：外壁、  ５２：横断方向の内壁、  ５３：貨物又はペイロード用空洞、  ５４：発射薬用空洞、  ５５：頭部、  ５６：尾部、  ５７：封止面、  ５８：補強リブ、  ５９：後側開口部、  ６０：環状壁、  ６１：破裂可能な円板、  ６２：後側封止面、  ６５：界面、  ７０：弾丸、  ７１：外壁、  ７２：横断方向の内壁、  ７３：貨物又はペイロード用空洞、  ７４：発射薬用空洞、  ７５：頭部、  ７６：尾部、  ７７：封止面、  ７８：補強リブ、  ７９：後側開口部、  ８０：環状壁、  ８１：発射薬の固化したブロック、  ８２：後側封止面、  ８３：後側角部、  ８５：界面
【図１】
2005528574.tif 000003
【図２】
2005528574.tif 000004
【図３】
2005528574.tif 000005
【図４】
2005528574.tif 000006
【図５】
2005528574.tif 000007
【図６】
2005528574.tif 000008
【図７】
2005528574.tif 000009
【図８】
2005528574.tif 000010
【図９】
2005528574.tif 000011
【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
複数の弾丸アセンブリが銃身内に突合せ接触関係で軸方向に配置されていて、各弾丸アセンブリには個別の発射装薬が付設されているような武器の銃身アセンブリ用の弾丸封止装置であって、当該弾丸封止装置は、
個別の発射装薬を収容するために各弾丸アセンブリに設けられた空洞と連通する後側開口部と、
上記後側開口部と作動的封止係合するように構成された突合せ接触する弾丸アセンブリの前側部分とを含んでおり、
また当該弾丸封止装置は、複数の突合せ接触する弾丸アセンブリに圧縮荷重を加えている間、個別の発射装薬が空洞内に封止されるようになっていること、を特徴とする弾丸封止装置。
【請求項２】
請求項１に記載の弾丸封止装置において、各弾丸アセンブリの前側部分は所定の形状の前側封止面を有し、後側開口部は前側封止面の上記所定の形状に対して相補的な形状の後側封止面を有している、弾丸封止装置。
【請求項３】
請求項１に記載の弾丸封止装置において、前側部分及び後側開口部のいずれか又は両方は封止を補助し又は向上させる封止手段を含んでいる、弾丸封止装置。
【請求項４】
請求項３に記載の弾丸封止装置において、封止手段は弾性体として予め形成されている、弾丸封止装置。
【請求項５】
請求項３に記載の弾丸封止装置において、封止手段は適当な封止材料を使用することによりその場で形成されている、弾丸封止装置。
【請求項６】
請求項４又は５に記載の弾丸封止装置において、前記封止手段は接着特性を有している、弾丸封止装置。
【請求項７】
請求項１に記載の弾丸封止装置において、封止面は平坦な面部分を含んでいる、弾丸封止装置。
【請求項８】
請求項１に記載の弾丸封止装置において、封止面は半球形状の面部分を含んでいる、弾丸封止装置。
【請求項９】
請求項１に記載の弾丸封止装置において、封止面は円錐形状の面部分を含んでいる、弾丸封止装置。
【請求項１０】
請求項７乃至９のいずれか一項に記載の弾丸封止装置において、上記封止面の形状は空気力学的考察によって決定されている、弾丸封止装置。
【請求項１１】
武器用の銃身アセンブリであって、当該銃身アセンブリは、
銃身内に突合せ接触関係で軸方向に配置されていて、各々は頭部及び尾部を有し、個別の発射装薬が付設されている複数の弾丸アセンブリと、
銃身から逐次的にそれぞれの弾丸を発射するために個別の発射装薬を選択的に点火することのできる、各発射装薬用の点火手段と、
突合せ接触する弾丸アセンブリ相互の間の封止装置とを含んでおり、上記封止装置は、
個別の発射装薬を受けるために各弾丸アセンブリに設けられた空洞と連通する後側開口部と、
後側開口部と作動的封止係合するように構成された突合せ接触する弾丸アセンブリの前側部分とを含んでおり、
また、上記封止装置は、複数の突合せ接触する弾丸アセンブリに圧縮荷重を加えている間、後方の弾丸用の個別の発射装薬がそれぞれの空洞内に封止されるようになっていること、を特徴とする武器用の銃身アセンブリ。
【請求項１２】
請求項１１に記載の銃身アセンブリにおいて、弾丸本体は、弾丸アセンブリの頭部及び尾部の少なくとも一方に横断方向の面を含んでおり、この横断方向の面は、上記複数の弾丸アセンブリに軸方向の圧縮荷重を加えたときに弾丸がその後方の弾丸に対して過大な動きを生じるのを防止するように構成されている、銃身アセンブリ。
【請求項１３】
請求項１１に記載の銃身アセンブリにおいて、発射装薬は固化した形態である、銃身アセンブリ。
【請求項１４】
請求項１１に記載の銃身アセンブリにおいて、発射装薬は流動性の形態である、銃身アセンブリ。
【請求項１５】
請求項１３又は１４に記載の銃身アセンブリにおいて、後側開口部は、発射薬材料を空洞内に保持するための閉鎖体を含んでいる、銃身アセンブリ。
【請求項１６】
請求項１５に記載の銃身アセンブリにおいて、閉鎖体は破裂可能な円板、又は可燃性材料より成る円板で構成されている、銃身アセンブリ。
【請求項１７】
請求項１６に記載の銃身アセンブリにおいて、閉鎖体は、隣接する弾丸アセンブリの頭部にある相補的な保持手段と解放可能に係合する保持手段を含んでいる、銃身アセンブリ。
【請求項１８】
請求項１７に記載の銃身アセンブリにおいて、上記相補的な保持手段は、ソケット部材及びスピゴット部材を含んでいる、銃身アセンブリ。
【請求項１９】
請求項１７に記載の銃身アセンブリにおいて、上記相補的な保持手段は、解放し易くするために協同するネジ山を含んでいる、銃身アセンブリ。
【請求項２０】
請求項１７に記載の銃身アセンブリにおいて、保持手段は易損性である、銃身アセンブリ。
【請求項２１】
頭部及び尾部を持つ本体を有する弾丸アセンブリであって、
上記頭部は、前方の弾丸の後側開口部と作動的封止係合するように構成された前側部分を含んでおり、
上記尾部は、個別の発射装薬を受けるために弾丸アセンブリに設けられた空洞と連通する後側開口部を含んでおり、この後側開口部は後方の弾丸の前側部分と作動的封止係合するように構成された後側部分を含んでおり、
更に、当該弾丸アセンブリは、複数の突合せ接触する弾丸アセンブリに圧縮荷重を加えている間、個別の発射装薬を空洞内に封止するようになっている封止装置を含んでいること、を特徴とする弾丸アセンブリ。
【請求項２２】
連鎖体連鎖体を形成するために易損性の結合部によって一緒に結合された少なくとも２つの弾丸を含んでいる弾丸封止装置であって、各弾丸は頭部と尾部とを有しており、結合部は、相補的なスピゴット手段及びソケット手段を含んでおり、結合部が、前方の弾丸の尾部と後方の弾丸の頭部との間に配置されていること、を特徴とする弾丸連鎖体。
【請求項２３】
請求項２２に記載の弾丸連鎖体において、結合部のスピゴット手段及びソケット手段は、開放可能な係合手段を備えている、弾丸連鎖体。
【請求項２４】
請求項２２に記載の弾丸連鎖体において、結合部は易損性の保持手段を有している、弾丸連鎖体。
【手続補正書】
【提出日】平成16年4月19日(2004.4.19)
【手続補正１】
【補正対象書類名】特許請求の範囲
【補正対象項目名】全文
【補正方法】変更
【補正の内容】
【特許請求の範囲】
【請求項１】
複数の弾丸アセンブリが銃身内に突合せ接触関係で軸方向に配置されていて、各弾丸アセンブリには個別の発射装薬が付設されているような武器の銃身アセンブリ用の弾丸封止装置であって、当該弾丸封止装置は、
個別の発射装薬を収容するために各弾丸アセンブリに設けられた空洞と連通する後側開口部と、
上記後側開口部と作動的封止係合するように構成された突合せ接触する弾丸アセンブリの前側部分とを含んでおり、
また当該弾丸封止装置は、複数の突合せ接触する弾丸アセンブリに圧縮荷重を加えている間、個別の発射装薬が空洞内に封止されるようになっていること、を特徴とする弾丸封止装置。
【請求項２】
請求項１に記載の弾丸封止装置において、各弾丸アセンブリの前側部分は所定の形状の前側封止面を有し、後側開口部は前側封止面の上記所定の形状に対して相補的な形状の後側封止面を有している、弾丸封止装置。
【請求項３】
請求項１に記載の弾丸封止装置において、前側部分及び後側開口部のいずれか又は両方は封止を補助し又は向上させる封止手段を含んでいる、弾丸封止装置。
【請求項４】
請求項３に記載の弾丸封止装置において、封止手段は弾性体として予め形成されている、弾丸封止装置。
【請求項５】
請求項３に記載の弾丸封止装置において、封止手段は適当な封止材料を使用することによりその場で形成されている、弾丸封止装置。
【請求項６】
請求項４又は５に記載の弾丸封止装置において、前記封止手段は接着特性を有している、弾丸封止装置。
【請求項７】
請求項１に記載の弾丸封止装置において、封止面は平坦な面部分を含んでいる、弾丸封止装置。
【請求項８】
請求項１に記載の弾丸封止装置において、封止面は半球形状の面部分を含んでいる、弾丸封止装置。
【請求項９】
請求項１に記載の弾丸封止装置において、封止面は円錐形状の面部分を含んでいる、弾丸封止装置。
【請求項１０】
請求項７乃至９のいずれか一項に記載の弾丸封止装置において、上記封止面の形状は空気力学的考察によって決定されている、弾丸封止装置。
【請求項１１】
武器用の銃身アセンブリであって、
当該銃身アセンブリは、銃身内に突合せ接触関係で軸方向に配置されていて、各々は頭部及び尾部を有し、個別の発射装薬が付設されている複数の弾丸アセンブリと、
銃身から逐次的にそれぞれの弾丸を発射するために個別の発射装薬を選択的に点火することのできる、各発射装薬用の点火手段と、
突合せ接触する弾丸アセンブリ相互の間の封止装置とを含んでおり、上記封止装置は、
個別の発射装薬を受けるために各弾丸アセンブリに設けられた空洞と連通する後側開口部と、
後側開口部と作動的封止係合するように構成された突合せ接触する弾丸アセンブリの前側部分とを含んでおり、
また、上記封止装置は、複数の突合せ接触する弾丸アセンブリに圧縮荷重を加えている間、後方の弾丸用の個別の発射装薬がそれぞれの空洞内に封止されるようになっていること、を特徴とする武器用の銃身アセンブリ。
【請求項１２】
請求項１１に記載の銃身アセンブリにおいて、弾丸本体は、弾丸アセンブリの頭部及び尾部の少なくとも一方に横断方向の面を含んでおり、この横断方向の面は、上記複数の弾丸アセンブリに軸方向の圧縮荷重を加えたときに弾丸がその後方の弾丸に対して過大な動きを生じるのを防止するように構成されている、銃身アセンブリ。
【請求項１３】
請求項１１に記載の銃身アセンブリにおいて、発射装薬は固化した形態である、銃身アセンブリ。
【請求項１４】
請求項１１に記載の銃身アセンブリにおいて、発射装薬は流動性の形態である、銃身アセンブリ。
【請求項１５】
請求項１３又は１４に記載の銃身アセンブリにおいて、後側開口部は、発射薬材料を空洞内に保持するための閉鎖体を含んでいる、銃身アセンブリ。
【請求項１６】
請求項１５に記載の銃身アセンブリにおいて、閉鎖体は破裂可能な円板、又は可燃性材料より成る円板で構成されている、銃身アセンブリ。
【請求項１７】
請求項１６に記載の銃身アセンブリにおいて、閉鎖体は、隣接する弾丸アセンブリの頭部にある相補的な保持手段と解放可能に係合する保持手段を含んでいる、銃身アセンブリ。
【請求項１８】
請求項１７に記載の銃身アセンブリにおいて、上記相補的な保持手段は、ソケット部材及びスピゴット部材を含んでいる、銃身アセンブリ。
【請求項１９】
請求項１７に記載の銃身アセンブリにおいて、上記相補的な保持手段は、解放し易くするために協同するネジ山を含んでいる、銃身アセンブリ。
【請求項２０】
請求項１７に記載の銃身アセンブリにおいて、保持手段は易損性である、銃身アセンブリ。
【請求項２１】
頭部及び尾部を持つ本体を有する弾丸アセンブリであって、
上記頭部は、前方の弾丸の後側開口部と作動的封止係合するように構成された前側部分を含んでおり、
上記尾部は、個別の発射装薬を受けるために弾丸アセンブリに設けられた空洞と連通する後側開口部を含んでおり、この後側開口部は後方の弾丸の前側部分と作動的封止係合するように構成された後側部分を含んでおり、
更に、当該弾丸アセンブリは、複数の突合せ接触する弾丸アセンブリに圧縮荷重を加えている間、個別の発射装薬を空洞内に封止するようになっている封止装置を含んでいること、を特徴とする弾丸アセンブリ。
【請求項２２】
連鎖体を形成するために易損性の結合部によって一緒に結合された少なくとも２つの弾丸を含んでいる弾丸封止装置であって、各弾丸は頭部、尾部及び発射装薬を有しており、前方の弾丸の尾部と後方の弾丸の頭部とが、前方の弾丸の発射装薬の周りにシールを形成しており、結合部が、前方の弾丸の尾部と後方の弾丸の頭部との間に配置された保持手段を含んでいること、を特徴とする弾丸封止装置。
【請求項２３】
請求項２２に記載の封止装置において、シールは、前方の弾丸及び後方の弾丸にある相補的な面の間の接触部を含んでいる、封止装置。
【請求項２４】
請求項２２又は２３に記載の封止装置において、シールは、前方の弾丸と後方の弾丸との間の接着接続部を含んでいる、封止装置。
【請求項２５】
請求項２２，２３又は２４に記載の封止装置において、保持手段は、前方の弾丸と後方の弾丸との間のネジ接続部を含んでいる、封止装置。
【請求項２６】
請求項２２，２３又は２４に記載の封止装置において、保持手段は、前方の弾丸と後方の弾丸との間に接着接続部を含んでいる、封止装置。
【請求項２７】
易損性の結合部によって一緒に結合された少なくとも２つの弾丸を含んでいる弾丸連鎖体であって、各弾丸は頭部、尾部及び封止された発射装薬を有しており、結合部が、前方の弾丸の尾部と後方の弾丸の頭部との間に配置された保持手段を含んでいること、を特徴とする弾丸連鎖体。
尾部に収容され且つ保持手段の一部を構成している、
【請求項４７】
請求項４６に記載の弾丸において、保持手段は、発射装薬に形成されたソケットを含んでいる、弾丸。
【請求項４８】
請求項４１乃至４７のいずれか一項に記載の弾丸において、封止手段は尾部にある封止面を含み、この封止面は弾丸連鎖体内の後方の弾丸の頭部にある封止面に接触する、弾丸。
【請求項４９】
請求項４８に記載の弾丸において、封止面は後方の弾丸とシールを形成する、弾丸。
【請求項５０】
請求項４９に記載の弾丸において、シールは保持手段の一部を形成する接着剤を含んでいる、弾丸。
【請求項５１】
弾丸相互間の易損性の結合部によって一緒に保持されている弾丸の連鎖体を収容する銃身を含んでいる銃身アセンブリであって、各弾丸は頭部、尾部及び封止された発射装薬を有しており、また結合部が、各々の前方の弾丸の尾部とそれぞれの後方の弾丸の頭部との間に配置された保持手段を含んでいること、を特徴とする銃身アセンブリ。
【請求項５２】
請求項５１に記載の銃身アセンブリにおいて、保持手段は、相互に係合した相補的なスピゴット手段及びソケット手段を含んでいる、銃身アセンブリ。
【請求項５３】
請求項５２に記載の銃身アセンブリにおいて、スピゴット手段及びソケット手段は相互にネジ係合している、銃身アセンブリ。
【請求項５４】
請求項５２又は５３に記載の銃身アセンブリにおいて、スピゴット手段及びソケット手段は後方の弾丸及び前方の弾丸にそれぞれ設けられている、銃身アセンブリ。
【請求項５５】
請求項５２，５３又は５４に記載の銃身アセンブリにおいて、スピゴット手段又はソケット手段のいずれかが易損性である、銃身アセンブリ。
【請求項５６】
請求項５１乃至５５のいずれか一項に記載の銃身アセンブリにおいて、保持手段は前方の弾丸と後方の弾丸との間に接着剤を含んでいる、銃身アセンブリ。
【請求項５７】
請求項５１乃至５６のいずれか一項に記載の銃身アセンブリにおいて、結合部は、前方の弾丸内の発射装薬の燃焼によって破壊される、銃身アセンブリ。
【請求項５８】
請求項５１乃至５７のいずれか一項に記載の銃身アセンブリにおいて、発射装薬は、前方の弾丸の尾部内に収容されていて、保持手段の一部を構成している、銃身アセンブリ。
【請求項５９】
請求項５８に記載の銃身アセンブリにおいて、保持手段は、発射装薬に形成されたソケットを含んでいる、銃身アセンブリ。
【請求項６０】
請求項５１乃至５９のいずれか一項に記載の銃身アセンブリにおいて、各一対の隣り合う弾丸の間に易損性の結合部を有している実質的に剛性の線形弾丸配列体として形成されている、銃身アセンブリ。
【請求項６１】
請求項５１乃至６０のいずれか一項に記載の銃身アセンブリにおいて、前方の弾丸の尾部及び後方の弾丸の頭部は、前方の弾丸内の発射装薬の周りにシールを形成するように接触する相補的な面を有している、銃身アセンブリ。
【請求項６２】
請求項５１乃至６１のいずれか一項に記載の銃身アセンブリにおいて、全ての弾丸が実質的に同一である、銃身アセンブリ。
【請求項６３】
請求項５１乃至６２のいずれか一項に記載の銃身アセンブリにおいて、各弾丸内の発射装薬は、武器の銃身からそれぞれの弾丸を発射させるために点火可能である、銃身アセンブリ。
【請求項６４】
請求項５１乃至６３のいずれか一項に記載のアセンブリにおいて、更に、弾丸用の点火システムを含んでいる、アセンブリ。
【手続補正書】
【提出日】平成16年7月19日(2004.7.19)
【手続補正１】
【補正対象書類名】特許請求の範囲
【補正対象項目名】全文
【補正方法】変更
【補正の内容】
【特許請求の範囲】
【請求項１】
複数の弾丸アセンブリが銃身内に突合せ接触関係で軸方向に配置されていて、各弾丸アセンブリには個別の発射装薬が付設されているような武器の銃身アセンブリ用の弾丸封止装置であって、当該弾丸封止装置は、
個別の発射装薬を収容するために各弾丸アセンブリに設けられた空洞と連通する後側開口部と、
上記後側開口部と作動的封止係合するように構成された突合せ接触する弾丸アセンブリの前側部分とを含んでおり、
また当該弾丸封止装置は、複数の突合せ接触する弾丸アセンブリに圧縮荷重を加えている間、個別の発射装薬が空洞内に封止されるようになっていること、を特徴とする弾丸封止装置。
【請求項２】
請求項１に記載の弾丸封止装置において、各弾丸アセンブリの前側部分は所定の形状の前側封止面を有し、後側開口部は前側封止面の上記所定の形状に対して相補的な形状の後側封止面を有している、弾丸封止装置。
【請求項３】
請求項１に記載の弾丸封止装置において、前側部分及び後側開口部のいずれか又は両方は封止を補助し又は向上させる封止手段を含んでいる、弾丸封止装置。
【請求項４】
請求項３に記載の弾丸封止装置において、封止手段は弾性体として予め形成されている、弾丸封止装置。
【請求項５】
請求項３に記載の弾丸封止装置において、封止手段は適当な封止材料を使用することによりその場で形成されている、弾丸封止装置。
【請求項６】
請求項４又は５に記載の弾丸封止装置において、前記封止手段は接着特性を有している、弾丸封止装置。
【請求項７】
請求項１に記載の弾丸封止装置において、封止面は平坦な面部分を含んでいる、弾丸封止装置。
【請求項８】
請求項１に記載の弾丸封止装置において、封止面は半球形状の面部分を含んでいる、弾丸封止装置。
【請求項９】
請求項１に記載の弾丸封止装置において、封止面は円錐形状の面部分を含んでいる、弾丸封止装置。
【請求項１０】
請求項７乃至９のいずれか一項に記載の弾丸封止装置において、上記封止面の形状は空気力学的考察によって決定されている、弾丸封止装置。
【請求項１１】
武器用の銃身アセンブリであって、
当該銃身アセンブリは、銃身内に突合せ接触関係で軸方向に配置されていて、各々は頭部及び尾部を有し、個別の発射装薬が付設されている複数の弾丸アセンブリと、
銃身から逐次的にそれぞれの弾丸を発射するために個別の発射装薬を選択的に点火することのできる、各発射装薬用の点火手段と、
突合せ接触する弾丸アセンブリ相互の間の封止装置とを含んでおり、上記封止装置は、
個別の発射装薬を受けるために各弾丸アセンブリに設けられた空洞と連通する後側開口部と、
後側開口部と作動的封止係合するように構成された突合せ接触する弾丸アセンブリの前側部分とを含んでおり、
また、上記封止装置は、複数の突合せ接触する弾丸アセンブリに圧縮荷重を加えている間、後方の弾丸用の個別の発射装薬がそれぞれの空洞内に封止されるようになっていること、を特徴とする武器用の銃身アセンブリ。
【請求項１２】
請求項１１に記載の銃身アセンブリにおいて、弾丸本体は、弾丸アセンブリの頭部及び尾部の少なくとも一方に横断方向の面を含んでおり、この横断方向の面は、上記複数の弾丸アセンブリに軸方向の圧縮荷重を加えたときに弾丸がその後方の弾丸に対して過大な動きを生じるのを防止するように構成されている、銃身アセンブリ。
【請求項１３】
請求項１１に記載の銃身アセンブリにおいて、発射装薬は固化した形態である、銃身アセンブリ。
【請求項１４】
請求項１１に記載の銃身アセンブリにおいて、発射装薬は流動性の形態である、銃身アセンブリ。
【請求項１５】
請求項１３又は１４に記載の銃身アセンブリにおいて、後側開口部は、発射薬材料を空洞内に保持するための閉鎖体を含んでいる、銃身アセンブリ。
【請求項１６】
請求項１５に記載の銃身アセンブリにおいて、閉鎖体は破裂可能な円板、又は可燃性材料より成る円板で構成されている、銃身アセンブリ。
【請求項１７】
請求項１６に記載の銃身アセンブリにおいて、閉鎖体は、隣接する弾丸アセンブリの頭部にある相補的な保持手段と解放可能に係合する保持手段を含んでいる、銃身アセンブリ。
【請求項１８】
請求項１７に記載の銃身アセンブリにおいて、上記相補的な保持手段は、ソケット部材及びスピゴット部材を含んでいる、銃身アセンブリ。
【請求項１９】
請求項１７に記載の銃身アセンブリにおいて、上記相補的な保持手段は、解放し易くするために協同するネジ山を含んでいる、銃身アセンブリ。
【請求項２０】
請求項１７に記載の銃身アセンブリにおいて、保持手段は易損性である、銃身アセンブリ。
【請求項２１】
頭部及び尾部を持つ本体を有する弾丸アセンブリであって、
上記頭部は、前方の弾丸の後側開口部と作動的封止係合するように構成された前側部分を含んでおり、
上記尾部は、個別の発射装薬を受けるために弾丸アセンブリに設けられた空洞と連通する後側開口部を含んでおり、この後側開口部は後方の弾丸の前側部分と作動的封止係合するように構成された後側部分を含んでおり、
更に、当該弾丸アセンブリは、複数の突合せ接触する弾丸アセンブリに圧縮荷重を加えている間、個別の発射装薬を空洞内に封止するようになっている封止装置を含んでいること、を特徴とする弾丸アセンブリ。
【請求項２２】
連鎖体を形成するために易損性の結合部によって一緒に結合された少なくとも２つの弾丸を含んでいる弾丸封止装置であって、各弾丸は頭部、尾部及び発射装薬を有しており、前方の弾丸の尾部と後方の弾丸の頭部とが、前方の弾丸の発射装薬の周りにシールを形成しており、結合部が、前方の弾丸の尾部と後方の弾丸の頭部との間に配置された保持手段を含んでいること、を特徴とする弾丸封止装置。
【請求項２３】
請求項２２に記載の封止装置において、シールは、前方の弾丸及び後方の弾丸にある相補的な面の間の接触部を含んでいる、封止装置。
【請求項２４】
請求項２２又は２３に記載の封止装置において、シールは、前方の弾丸と後方の弾丸との間の接着接続部を含んでいる、封止装置。
【請求項２５】
請求項２２，２３乃至２４のいずれか一項に記載の封止装置において、保持手段は、前方の弾丸と後方の弾丸との間のネジ接続部を含んでいる、封止装置。
【請求項２６】
請求項２２，２３乃至２４のいずれか一項に記載の封止装置において、保持手段は、前方の弾丸と後方の弾丸との間に接着接続部を含んでいる、封止装置。
【請求項２７】
易損性の結合部によって一緒に結合された少なくとも２つの弾丸を含んでいる弾丸連鎖体であって、各弾丸は頭部、尾部及び封止された発射装薬を有しており、結合部が、前方の弾丸の尾部と後方の弾丸の頭部との間に配置された保持手段を含んでいること、を特徴とする弾丸連鎖体。
【請求項２８】
請求項２７に記載の弾丸連鎖体において、保持手段は、相互に係合した相補的なスピゴット手段及びソケット手段を含んでいる、弾丸連鎖体。
【請求項２９】
請求項２８に記載の弾丸連鎖体において、スピゴット手段及びソケット手段は相互にネジ係合している、弾丸連鎖体。
【請求項３０】
請求項２８又は２９に記載の弾丸連鎖体において、スピゴット手段及びソケット手段は後方の弾丸及び前方の弾丸にそれぞれ設けられている、弾丸連鎖体。
【請求項３１】
請求項２８，２９又は３０のいずれか一項に記載の弾丸連鎖体において、スピゴット手段又はソケット手段のいずれかが易損性である、弾丸連鎖体。
【請求項３２】
請求項２７に記載の弾丸連鎖体において、保持手段は、前方の弾丸と後方の弾丸との間に接着剤を含んでいる、弾丸連鎖体。
【請求項３３】
請求項２７乃至３２のいずれか一項に記載の弾丸連鎖体において、結合部は、前方の弾丸内の発射装薬の燃焼によって破壊される、弾丸連鎖体。
【請求項３４】
請求項２７乃至３３のいずれか一項に記載の弾丸連鎖体において、発射装薬は、前方の弾丸の尾部内に収容されていて、保持手段の一部を構成している、弾丸連鎖体。
【請求項３５】
請求項３４に記載の弾丸連鎖体において、保持手段は、発射装薬に形成されたソケットを含んでいる、弾丸連鎖体。
【請求項３６】
請求項２７乃至３５のいずれか一項に記載の弾丸連鎖体において、弾丸連鎖体が、各一対の隣り合う弾丸の間に易損性の結合部を有している実質的に剛性の線形弾丸配列体として形成されている、弾丸連鎖体。
【請求項３７】
請求項２７乃至３６のいずれか一項に記載の弾丸連鎖体において、各弾丸は別々の構成要素のアセンブリである、弾丸連鎖体。
【請求項３８】
請求項２７乃至３７のいずれか一項に記載の弾丸連鎖体において、前方の弾丸の尾部及び後方の弾丸の頭部は、前方の弾丸内の発射装薬の周りにシールを形成するように接触する相補的な面を有している、弾丸連鎖体。
【請求項３９】
請求項２７乃至３８のいずれか一項に記載の弾丸連鎖体において、全ての弾丸が実質的に同一である、弾丸連鎖体。
【請求項４０】
請求項２７乃至３９のいずれか一項に記載の弾丸連鎖体において、各弾丸内の発射装薬は、武器の銃身からそれぞれの弾丸を発射させるために点火可能である、弾丸連鎖体。
【請求項４１】
頭部、尾部及び発射装薬を有している、弾丸連鎖体用の弾丸であって、頭部及び尾部が、それぞれの発射薬用シールを形成する封止手段を有していると共に、弾丸連鎖体内の前方の弾丸又は後方の弾丸の尾部又は頭部と一緒に接合されたときにそれぞれの易損性の結合部を形成する保持手段を有している、弾丸連鎖体用の弾丸。
【請求項４２】
請求項４１に記載の弾丸において、保持手段は、頭部に設けたスピゴットと尾部に設けたソケットとを含んでいる、弾丸。
【請求項４３】
請求項４２に記載の弾丸において、スピゴット又はソケットのいずれかが易損性である、弾丸。
【請求項４４】
請求項４１乃至４２のいずれか一項に記載の弾丸において、隣り合う弾丸の保持手段が相互にネジ係合している、弾丸。
【請求項４５】
請求項４１乃至４４のいずれか一項に記載の弾丸において、各結合部は、前方の弾丸内の発射装薬の燃焼によって損壊し易い、弾丸。
【請求項４６】
請求項４１乃至４５のいずれか一項に記載の弾丸において、発射装薬は尾部に収容され且つ保持手段の一部を構成している、弾丸。
【請求項４７】
請求項４６に記載の弾丸において、保持手段は、発射装薬に形成されたソケットを含んでいる、弾丸。
【請求項４８】
請求項４１乃至４７のいずれか一項に記載の弾丸において、封止手段は尾部にある封止面を含み、この封止面は弾丸連鎖体内の後方の弾丸の頭部にある封止面に接触する、弾丸。
【請求項４９】
請求項４８に記載の弾丸において、封止面は後方の弾丸とシールを形成する、弾丸。
【請求項５０】
請求項４９に記載の弾丸において、シールは保持手段の一部を形成する接着剤を含んでいる、弾丸。
【請求項５１】
弾丸相互間の易損性の結合部によって一緒に保持されている弾丸の連鎖体を収容する銃身を含んでいる銃身アセンブリであって、各弾丸は頭部、尾部及び封止された発射装薬を有しており、また結合部が、各々の前方の弾丸の尾部とそれぞれの後方の弾丸の頭部との間に配置された保持手段を含んでいること、を特徴とする銃身アセンブリ。
【請求項５２】
請求項５１に記載の銃身アセンブリにおいて、保持手段は、相互に係合した相補的なスピゴット手段及びソケット手段を含んでいる、銃身アセンブリ。
【請求項５３】
請求項５２に記載の銃身アセンブリにおいて、スピゴット手段及びソケット手段は相互にネジ係合している、銃身アセンブリ。
【請求項５４】
請求項５２又は５３に記載の銃身アセンブリにおいて、スピゴット手段及びソケット手段は後方の弾丸及び前方の弾丸にそれぞれ設けられている、銃身アセンブリ。
【請求項５５】
請求項５２，５３又は５４のいずれか一項に記載の銃身アセンブリにおいて、スピゴット手段又はソケット手段のいずれかが易損性である、銃身アセンブリ。
【請求項５６】
請求項５１乃至５５のいずれか一項に記載の銃身アセンブリにおいて、保持手段は前方の弾丸と後方の弾丸との間に接着剤を含んでいる、銃身アセンブリ。
【請求項５７】
請求項５１乃至５６のいずれか一項に記載の銃身アセンブリにおいて、結合部は、前方の弾丸内の発射装薬の燃焼によって破壊される、銃身アセンブリ。
【請求項５８】
請求項５１乃至５７のいずれか一項に記載の銃身アセンブリにおいて、発射装薬は、前方の弾丸の尾部内に収容されていて、保持手段の一部を構成している、銃身アセンブリ。
【請求項５９】
請求項５８に記載の銃身アセンブリにおいて、保持手段は、発射装薬に形成されたソケットを含んでいる、銃身アセンブリ。
【請求項６０】
請求項５１乃至５９のいずれか一項に記載の銃身アセンブリにおいて、各一対の隣り合う弾丸の間に易損性の結合部を有している実質的に剛性の線形弾丸配列体として形成されている、銃身アセンブリ。
【請求項６１】
請求項５１乃至６０のいずれか一項に記載の銃身アセンブリにおいて、前方の弾丸の尾部及び後方の弾丸の頭部は、前方の弾丸内の発射装薬の周りにシールを形成するように接触する相補的な面を有している、銃身アセンブリ。
【請求項６２】
請求項５１乃至６１のいずれか一項に記載の銃身アセンブリにおいて、全ての弾丸が実質的に同一である、銃身アセンブリ。
【請求項６３】
請求項５１乃至６２のいずれか一項に記載の銃身アセンブリにおいて、各弾丸内の発射装薬は、武器の銃身からそれぞれの弾丸を発射させるために点火可能である、銃身アセンブリ。
【請求項６４】
請求項５１乃至６３のいずれか一項に記載のアセンブリにおいて、更に、弾丸用の点火システムを含んでいる、アセンブリ。
【国際調査報告】
2005528574.tif 000012
2005528574.tif 000013
2005528574.tif 000014
2005528574.tif 000015